【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】在庫計画方法、プログラムおよびシステム
【手続補正２】
【補正対象書類名】明細書
【補正対象項目名】特許請求の範囲
【補正方法】変更
【補正の内容】
【特許請求の範囲】
【請求項１】
計算機を用いて、流通経路を流通する商品の在庫計画を作成する在庫計画方法であって、
前記商品の計画サイクルおよび前記商品のリードタイムを入力するステップと、
予め設定された前記商品の移動平均期間における前記商品の需要量を示す需要量実績の前記移動平均期間を構成する所定期間毎の平均値を示す移動平均需要量を入力するステップと、
前記移動平均需要量における標準偏差を算出するステップと、
前記商品が欠品しない確率を示すサービス率を用いて、前記商品の欠品しない確率を示す安全在庫係数を算出するステップと
前記計画サイクルおよび前記リードタイムの和、前記移動平均需要量、前記標準偏差および前記安全在庫係数を用いて、前記流通経路で必要とされる前記商品の必要在庫量を算出するステップとを含むことを特徴とする在庫計画方法。
【請求項２】
前記計算機は、ネットワークを介して、前記商品の販売を管理する販売管理サーバと接続され、
前記移動平均需要量を入力するステップは、
前記販売管理サーバに対して、前記商品を識別する商品識別情報および前記移動平均期間を含む要求情報であって、前記商品の前記移動平均期間における需要量の実績を示す需要量実績を要求する要求情報を送信するステップと、
前記販売管理サーバから前記需要量実績を受信するステップと、
前記需要量実績を用いて、前記移動平均需要量を算出するステップとを含むことを特徴とする請求項１に記載の在庫計画方法。
【請求項３】
前記流通経路中の有効在庫量を算出するステップと、
前記必要在庫量から前記有効在庫量を減ずることにより補充要求量を算出する
ステップとを含むことを特徴とする請求項１に記載の在庫計画方法。
【請求項４】
前記計算機は、前記ネットワークを介して、前記商品の生産を管理する生産管理サーバおよび前記商品の運送を管理する運送管理サーバと接続され、
前記有効在庫量を算出するステップは、前記生産管理サーバ、前記運送管理サーバおよび前記販売管理サーバからそれぞれにおける部分有効在庫量を受信し、受信された部分有効在庫量を和することにより、前記有効在庫量を算出することを特徴とする請求項３に記載の在庫計画方法。
【請求項５】
前記有効在庫量を算出するステップは、前記販売管理サーバにおいて発注指示され数量および前記生産管理サーバにおいて生産指示された数量を含む発注残を含む有効在庫量を算出することを特徴とする請求項４に記載の在庫計画方法。
【請求項６】
前記有効在庫量を算出するステップは、
前記生産管理サーバへ、前記商品識別情報に対応する商品の運搬組織への出荷に関する出荷情報であって、出荷を識別する出荷識別情報を含む出荷情報を要求するステップと、
前記生産管理サーバから、前記要求に応じた出荷情報を受信するステップと、
前記運送管理サーバへ、前記出荷識別情報に対応する前記運送中の数量を要求するステップと、
前記運送管理サーバから、前記運送中の数量を受信するステップと、
前記運送中の数量のうち、前記商品の数量を、前記出荷情報を用いて算出するステップとを含むことを特徴とする請求項５に記載の在庫計画方法。
【請求項７】
前記補充要求量および前記商品識別情報を含む補充要求を、前記生産管理サーバへ送信するステップを含むことを特徴とする請求項４に記載の在庫計画方法。
【請求項８】
前記運送管理サーバから、前記生産指示により変更される前記商品の実際の運送期間を受信するステップを有し、
前記入力するステップは、前記リードタイムとして、前記運送期間を入力する
ことを特徴とする請求項７に記載の在庫計画方法。
【請求項９】
前記移動平均需要量を入力するステップは、所定期間後の予測される移動平均需要量を入力し、
前記必要在庫量を算出するステップは、前記予測される移動平均需要量を用いて、前記所定期間後の必要在庫量を算出することを特徴とする請求項１に記載の在庫計画方法。
【請求項１０】
前記移動平均需要量を入力するステップは、前記予測される移動平均需要量として、所定期間前の移動平均需要量を入力することを特徴とする請求項９に記載の在庫計画方法。
【請求項１１】
前記移動平均需要量を入力するステップは、前記所定期間後として、前記リードタイム後の移動平均需要量を算出し、
前記必要在庫量を算出するステップは、前記リードタイム後の移動平均需要量を用いて、運送期間分の遅れを考慮した必要在庫量を算出することを特徴とする請求項８に記載の在庫計画方法。
【請求項１２】
流通経路を流通する商品の在庫計画を作成する在庫計画装置であって、
利用者からの前記商品の計画サイクルおよび前記商品のリードタイムの入力を受け付ける第１の入力装置と、
予め設定された前記商品の移動平均期間における前記商品の需要量を示す需要量実績の前記移動平均期間を構成する所定期間毎の平均値を示す移動平均需要量の入力を受け付ける第２の入力装置と、
当該在庫計画装置に対して、所定の処理を実行させるプログラムを格納した記憶装置と、
前記入力装置および前記記憶装置と接続され、前記移動平均需要量における標準偏差を算出し、前記商品が欠品しない確率を示すサービス率を用いて、前記商品の欠品しない確率を示す安全在庫係数を算出し、前記計画サイクルおよび前記リードタイムの和、前記移動平均需要量、前記標準偏差および前記安全在庫係数を用いて、前記流通経路で必要とされる前記商品の必要在庫量を算出する処理装置とを含むことを特徴とする在庫計画装置。
【請求項１３】
請求項１２に記載の在庫計画装置において、
ネットワークを介して、前記商品の販売を管理する販売管理サーバと接続する接続装置をさらに有し、
前記第２の入力装置は、
前記販売管理サーバに対して、前記商品を識別する商品識別情報および前記移動平均期間を含む要求情報であって、前記商品の前記移動平均期間における需要量の実績を示す需要量実績を要求する要求情報を送信する送信装置および前記販売管理サーバから前記需要量実績を受信する受信装置からなり、
前記移動平均需要量を、前記需要量実績を用いて算出する。
【請求項１４】
計算機に対して、以下のステップからなる流通経路を流通する商品の在庫計画を作成する在庫計画方法を実行させるプログラムであって、
前記商品の計画サイクルおよび前記商品のリードタイムを入力するステップと、
予め設定された前記商品の移動平均期間における前記商品の需要量を示す需要量実績の前記移動平均期間を構成する所定期間毎の平均値を示す移動平均需要量を入力するステップと、
前記移動平均需要量における標準偏差を算出するステップと、
前記商品が欠品しない確率を示すサービス率を用いて、前記商品の欠品しない確率を示す安全在庫係数を算出するステップと、
前記計画サイクルおよび前記リードタイムの和、前記移動平均需要量、前記標準偏差および前記安全在庫係数を用いて、前記流通経路で必要とされる前記商品の必要在庫量を算出するステップとを含むことを特徴とするプログラム。
【請求項１５】
前記計算機は、ネットワークを介して、前記商品の販売を管理する販売管理サーバと接続され、
前記移動平均需要量を入力するステップは、
前記販売管理サーバに対して、前記商品を識別する商品識別情報および前記移動平均期間を含む要求情報であって、前記商品の前記移動平均期間における需要量の実績を示す需要量実績を要求する要求情報を送信するステップ、
前記販売管理サーバから前記需要量実績を受信するステップ、および前記需要量実績を用いて、前記移動平均需要量を算出するステップを有することを特徴とする請求項１４に記載のプログラム。